(57)【要約】【課題】記入ミスや記入漏れといった人為的ミスを防ぎ、かつ、容易に出品票を作成することができる技術を提供すること。【解決手段】出品票作成端末１は、会員カード４から出品者を一意に識別する出品者識別情報を取得する識別情報取得部４１と、出品者の出品車両の型格情報記載画像から出品車両の型格情報を抽出する型格情報抽出部４２と、型格情報抽出部４２が抽出した型格情報に対応する車両情報をＤＢ２から取得する車両情報取得部４３と、識別情報取得部４１が取得した出品者識別情報と、車両情報取得部４３が取得した車両情報と、に基づいて出品車両の出品票データを作成する出品票データ作成部４４と、を備える。【選択図】図８
2020086686.tif 000002
【特許請求の範囲】
【請求項１】
出品者識別媒体から出品者を一意に識別する出品者識別情報を取得する識別情報取得部と、
前記出品者の出品車両の型格情報記載画像から前記出品車両の型格情報を抽出する型格情報抽出部と、
前記型格情報抽出部が抽出した型格情報に対応する車両情報をデータベースから取得する車両情報取得部と、
前記識別情報取得部が取得した出品者識別情報と、前記車両情報取得部が取得した車両情報と、に基づいて前記出品車両の出品票データを作成する出品票データ作成部と、
を備えることを特徴とする出品票作成端末。
【請求項２】
前記出品票作成端末は、撮像部をさらに備え、
前記型格情報抽出部は、前記撮像部により撮像して取得した画像から前記出品車両の型格情報を抽出する
ことを特徴とする請求項１に記載の出品票作成端末。
【請求項３】
前記型格情報抽出部は、前記出品車両に取り付けられた型格情報記載板に記載された前記型格情報記載事項を撮像した前記型格情報記載画像から、前記型格情報を抽出する
ことを特徴とする請求項２に記載の出品票作成端末。
【請求項４】
前記型格情報抽出部は、前記出品車両に打刻された前記型格情報記載事項を撮像した前記型格情報記載画像から、前記型格情報を抽出する
ことを特徴とする請求項２に記載の出品票作成端末。
【請求項５】
前記出品車両の型格情報記載画像を記憶する記憶部をさらに備え、
前記型格情報抽出部は、前記記憶部に記憶された型格情報記載画像から前記出品者の出品車両の型格情報を抽出する
ことを特徴とする請求項１に記載の出品票作成端末。
【請求項６】
前記出品車両のその他の車両情報の入力を受け付ける車両情報受付部をさらに備え、
前記出品票データ作成部は、前記車両情報受付部が入力を受け付けた前記その他の車両情報を、前記車両情報取得部が取得した車両情報に含めて、前記出品車両の出品票データを作成する
ことを特徴とする請求項１〜５のうち何れかに記載の出品票作成端末。
【請求項７】
出品票データを作成する出品票作成端末の出品票作成方法であって、
出品者識別媒体から出品者を一意に識別する出品者識別情報を取得し、
前記出品者の出品車両の型格情報記載画像から前記出品車両の型格情報を抽出し、
前記抽出した型格情報に対応する車両情報をデータベースから取得し、
前記取得した出品者識別情報と、前記取得した車両情報と、に基づいて前記出品車両の出品票データを作成する
ことを特徴とする出品票作成方法。
【請求項８】
出品票データを作成する出品票作成端末のコンピュータに、
出品者識別媒体から出品者を一意に識別する出品者識別情報を取得し、
前記出品者の出品車両の型格情報記載画像から前記出品車両の型格情報を抽出し、
前記抽出した型格情報に対応する車両情報をデータベースから取得し、
前記取得した出品者識別情報と、前記取得した車両情報と、に基づいて前記出品車両の出品票データを作成する
処理を実行させる出品票作成プログラム。
【発明の詳細な説明】
【技術分野】
【０００１】
本発明は、出品票作成端末、出品票作成方法および出品票作成プログラムに関する。
【背景技術】
【０００２】
従来、出品者が中古車等の出品車両をオークションに出品する際には、出品車両の車両情報が記載された出品票の提出が求められていた。そのため、出品者は、予め出品車両に関する車両情報を調べて出品票に手書きで記入していた。さらに、出品票には出品者を識別するための会員番号や会社名等を含む出品者識別情報を併せて記入する必要があった。出品票に記入する各項目は日本語で書かれているため、日本語が理解できない外国籍の方のために、出品票への記入代行サービスが行われている。例えば、特許文献１には、中古車の傷に関する情報の入力が可能な情報システムの技術の一例が開示されている。
【先行技術文献】
【特許文献】
【０００３】
【特許文献１】特開２０１８−０９７６７９号公報
【発明の概要】
【発明が解決しようとする課題】
【０００４】
しかしながら、出品者はオークションに出品する毎に出品車両に関する車両情報を調べなければならないため、手間がかかっていた。さらに、調べた車両情報や出品者の出品者識別情報を出品票に記載しなければならないため、手間がかかるとともに、記入ミスや記入漏れという人為的ミスが発生するおそれがある。
【０００５】
出品者が記入代行サービスを利用した場合には、手数料が発生するため、出品意欲が削がれ、出品機会を喪失していた。また、記入代行サービスは、一般の事務員が本来の業務の合間に行うサービスであるため、サービスの依頼があるたびに時間を割く必要があり、事務員の本来の業務に支障をきたしていた。
【０００６】
本発明は、上記課題に鑑み、記入ミスや記入漏れといった人為的ミスを防ぎ、かつ、容易に出品票を作成することができる技術を提供することを目的とする。
【課題を解決するための手段】
【０００７】
本発明の第１の側面である出品票作成端末は、出品者識別媒体から出品者を一意に識別する出品者識別情報を取得する識別情報取得部と、前記出品者の出品車両の型格情報記載画像から前記出品車両の型格情報を抽出する型格情報抽出部と、前記型格情報抽出部が抽出した型格情報に対応する車両情報をデータベースから取得する車両情報取得部と、前記識別情報取得部が取得した出品者識別情報と、前記車両情報取得部が取得した車両情報と、に基づいて前記出品車両の出品票データを作成する出品票データ作成部と、を備える出品票作成端末である。
【０００８】
本発明の第２の側面である出品票作成方法は、出品票データを作成する出品票作成端末の出品票作成方法であって、出品者識別媒体から出品者を一意に識別する出品者識別情報を取得し、前記出品者の出品車両の型格情報記載画像から前記出品車両の型格情報を抽出し、前記抽出した型格情報に対応する車両情報をデータベースから取得し、前記取得した出品者識別情報と、前記取得した車両情報と、に基づいて前記出品車両の出品票データを作成する出品票作成方法である。
【０００９】
本発明の第３の側面である出品票作成プログラムは、出品票データを作成する出品票作成端末のコンピュータに、出品者識別媒体から出品者を一意に識別する出品者識別情報を取得し、前記出品者の出品車両の型格情報記載画像から前記出品車両の型格情報を抽出し、前記抽出した型格情報に対応する車両情報をデータベースから取得し、前記取得した出品者識別情報と、前記取得した車両情報と、に基づいて前記出品車両の出品票データを作成する処理を実行させる出品票作成プログラムである。
【発明の効果】
【００１０】
本発明の一態様によれば、記入ミスや記入漏れといった人為的ミスを防ぎ、かつ、容易に出品票を作成することができる。
【図面の簡単な説明】
【００１１】
【図１】本発明の実施形態の出品票作成システムの一例を示す図である。
【図２】会員カードのＩＣチップ内に格納されている出品者識別情報の一例を示す図である。
【図３】出品票作成端末のハードウェア構成の一例を示すブロック図である。
【図４】出品車両の型格情報記載画像の一例を示す図である。
【図５】ＤＢのハードウェア構成の一例を示すブロック図である。
【図６】ＤＢの記憶部に記憶された型式情報ＤＢの一例を示す図
【図７】ＤＢの記憶部に記憶された色情報ＤＢの一例を示す図である。
【図８】出品票作成端末の機能構成の一例を示す図である。
【図９】オークション出品票画面の一例を示す図である。
【図１０】型式情報および色情報が入力された後のオークション出品票画面の一例を示す図である。
【図１１】その他の車両情報が入力された後のオークション出品票画面の一例を示す図である。
【図１２】出品票作成システムが実行する出品票作成処理の一例を示すシーケンスチャートである。
【図１３】別実施形態のオークション出品票画面の一例を示す図である。
【発明を実施するための形態】
【００１２】
以下に本発明の実施形態について図面を参照しながら詳細に説明する。図１は、本発明の実施形態の出品票作成システムの一例を示す図である。
【００１３】
図１に示すように、出品票作成システム１００は、出品票作成端末１、車両情報データベース２（以下、「ＤＢ２」と呼ぶ）、出品票サーバ３を有する。例えば、出品票作成端末１は、中古の出品車両を出品するオークション会場に設置されている。
【００１４】
出品票作成端末１は、スマートフォン（Smartphone）やタブレット（Tablet）、携帯電話などの情報処理装置である。出品票作成端末１は、例えば、ノート型ＰＣ（パーソナルコンピュータ）やＰＤＡ（Personal  Digital  Assistant）、ウェアラブル端末などであってもよい。
【００１５】
出品票作成端末１、ＤＢ２および出品票サーバ３はそれぞれ通信ネットワークＮを介して接続されており、出品票作成端末１とＤＢ２同士、および、出品票作成端末１と出品票サーバ３同士は相互に通信可能である。図１の例では、出品票作成端末１は１台だが、複数台備えていてもよい。通信ネットワークＮに接続される出品票作成端末１の台数は特に限定されない。図１の例では、出品票作成端末１、ＤＢ２および出品票サーバ３は通信ネットワークＮを介して接続されているがこの限りではない。例えば、出品票作成端末１とＤＢ２同士、および、出品票作成端末１と出品票サーバ３同士はそれぞれ専用線を介して接続されていてもよい。この場合、出品票作成端末１、ＤＢ２、出品票サーバ３の何れか１つ以上の装置は、オークション会場外に設置されていてもよい。
【００１６】
出品票作成端末１は、出品者を一意に識別する出品者識別情報を会員カード４から取得する。会員カード４は、本発明の出品者識別媒体に相当する。会員カード４には、出品者識別情報が格納されている。出品者とは、オークション会場に出品車両を出品する中古車販売業者やカーディーラーの責任者等である。出品者識別情報は、出品者の会員番号、出品者氏名、携帯電話番号などを含む情報である。出品者識別情報については後述する。会員カード４は、ＩＣ（Integrated Circuit）チップが内蔵されたＩＣカードである。ＩＣチップ内には、出品者識別情報が格納されている。
【００１７】
出品票作成端末１は操作者（出品者）の操作に基づき、会員カード４から取得した出品者識別情報と、出品車両の車両情報と、に基づいて出品車両の出品票データを作成する。車両情報については後述する。
【００１８】
図２は、会員カード４のＩＣチップ内に格納されている出品者識別情報の一例を示す図である。会員カード４のＩＣチップには、会員番号、出品者氏名、携帯電話番号、会員名（会社名）、会員電話番号、免許証番号、保険証番号、暗証番号などが出品者識別情報として格納されている。会員番号は、出品者を一意に識別するための識別記号である。会員カード４のＩＣチップは、図２に示していない他の情報を格納してもよい。なお、会員カード４は、ＩＣチップを内蔵したものに限らず、磁気カードなど、出品者識別情報を格納する（記録する）ことが可能なものであればよい。例えば、会員カード４が磁気カードである場合には、出品者識別情報は、会員カード４に貼付されたＭＳ（Magnetic Stripe）に磁気データとして格納してもよい。さらに、出品者識別情報は、平板形状（いわゆるカード型）の会員カード４に限らず、出品票作成端末１により出品者識別情報を読み取り可能な他の形態の記録媒体に格納されていてもよい。
【００１９】
図３は、出品票作成端末１のハードウェア構成の一例を示すブロック図である。出品票作成端末１は、ハードウェアとしての端末制御部１０、記憶部１１、表示部１２、入力部１３、カード読取部１４、撮像部１５および通信部１６を有する。また、出品票作成端末１は、図３に示していない他のハードウェア構成を備えていてもよい。端末制御部１０は、出品票作成端末１全体を統括的に制御するもので、プログラムを読み込んで制御処理を実行するＣＰＵ（Central  Processing  Unit）を有する。記憶部１１は、ＲＡＭ（Random  Access  Memory）、ＲＯＭ（Read  Only  Memory）、ＨＤＤ（Hard  Disk  Drive）等を有する。記憶部１１は、端末制御部１０が実行するプログラム、表示画面データ、その他各種データを記憶する。また、記憶部１１は、端末制御部１０がプログラムを実行する際の作業領域を提供する。また、記憶部１１は、他のデータを備えていてもよい。
【００２０】
表示部１２は、例えばＬＣＤ（Liquid Crystal Display）などのディスプレイであり、端末制御部１０の制御のもとで表示画面の表示を行う。入力部１３は、例えばタッチパネルなどの入力インターフェースであり、表示部１２の表示に従った出品票作成端末１の操作者（出品者）による操作情報の入力を受け付ける。
【００２１】
カード読取部１４は、会員カード４（図１参照）のＩＣチップ内に格納されている出品者識別情報の読み取りを行う。ＩＣチップから情報を読み取る方法については公知の技術を採用することができるため説明を省略する。なお、会員カード４が磁気カードである場合には、カード読取部１４は、会員カード４に貼付されたＭＳから出品者識別情報の読み取りを行ってもよい。カード読取部１４は、読み取った出品者識別情報を端末制御部１０に通知する。
【００２２】
撮像部１５は、例えばカメラ装置であり、出品車両の型格情報記載事項を撮像して型格情報記載画像を取得することに使用する。具体的には、撮像部１５は、出品車両に取り付けられた型格情報記載板（以下、「コーションプレート」とも呼ぶ）に記載された型格情報記載事項を撮像して型格情報記載画像を取得する。撮像部１５は、取得した型格情報記載画像を端末制御部１０に通知する。コーションプレートとは、出品車両のフレームやエンジンルームにおいてリベットや溶接で取り付けられた板であり、後述の型格情報記載事項が刻印または印刷などにより記載されている。型格情報記載画像、型格情報記載事項については、後述する。
【００２３】
上述の実施形態においては、撮像部１５により出品車両に取り付けられたコーションプレートに記載された型格情報記載事項を撮像して型格情報記載画像を取得しているがこの限りではない。例えば、出品車両にコーションプレートが取り付けられていない場合には、型格情報抽出部４２は、出品車両のフレームなどに直接に打刻された型格情報記載事項を撮像した型格情報記載画像から、型格情報を抽出してもよい。また、型格情報記載画像は、撮像部１５とは別の撮像装置により撮像し、出品票作成端末１に取り込んだ画像であってもよい。
【００２４】
通信部１６は、端末制御部１０の制御のもと、通信ネットワークＮを介してＤＢ２と通信を行い、型格情報の送信および車両情報の受信を行う。また、通信部１６は、端末制御部１０の制御のもと、通信ネットワークＮを介して出品票サーバ３と通信を行い、出品票データの送信を行う。
【００２５】
図４は、出品車両の型格情報記載画像５の一例を示す図である。図４の型格情報記載画像５には、出品車両の型格情報の一例として、車両製造会社名５１、型式５２、車体番号（車体Ｎｏ．）５３、エンジン形式５４、および車色５５が含まれる。型式５２は、出品車両の排気量、車名、形状・ドア数などを一意に識別できる符号が付与されている。
【００２６】
車体番号（車体Ｎｏ．）５３は、出品車両の製造番号を表す情報である。車体番号５３は、各車両を一意に識別できる符号が付与されている。
【００２７】
エンジン形式５４は、出品車両のエンジンの形式を表す情報である。エンジン形式５４は、燃焼形態、シリンダーの配置、カムシャフト形式等を一意に識別できる符号が付与されている。
【００２８】
車色５５は、出品車両の色を表す情報である。車色５５はさらに、外装色番号５５ａ、内装色番号５５ｂの情報を有する。外装色番号５５ａは、出品車両の外装の色を表す情報である。外装色番号５５ａは、出品車両の外装の色を一意に識別できる符号が付与されている。内装色番号５５ｂは、出品車両の内装の色を表す情報である。内装色番号５５ｂは、出品車両の内装の色を一意に識別できる符号が付与されている。
【００２９】
図５は、ＤＢ２のハードウェア構成の一例を示すブロック図である。ＤＢ２は、ハードウェアとしてのＤＢ制御部２０、記憶部２１、表示部２２、入力部２３、および通信部２４を有する。また、ＤＢ２は、図５に示していない他のハードウェア構成を備えていてもよい。
【００３０】
ＤＢ制御部２０は、ＤＢ２全体を統括的に制御するもので、プログラムを読込んで制御処理を実行するＣＰＵを有する。
【００３１】
記憶部２１は、ＲＡＭ、ＲＯＭ、ＨＤＤ等を有する。記憶部２１は、ＤＢ制御部２０が実行するプログラム、表示画面データ、その他各種データを記憶する。また、記憶部２１は、ＤＢ制御部２０がプログラムを実行する際の作業領域を提供する。また、記憶部２１は、出品車両の型格情報に対応する車両情報が格納された車両情報データベース（以下、「車両情報ＤＢ」と呼ぶ）を有する。車両情報ＤＢには、車両情報に含まれる型式情報が格納された型式情報データベース（以下、「型式情報ＤＢ」と呼ぶ）、車両情報に含まれる色情報が格納された色情報データベース（以下、「色情報ＤＢ」と呼ぶ）を有する。色情報ＤＢは、外装色データベース（以下、「外装色情報ＤＢ」と呼ぶ）、および内装色データベース（以下、「内装色情報ＤＢ」と呼ぶ）を有する。また、記憶部２１は、他のデータ等を備えていてもよい。
【００３２】
表示部２２は、例えばＬＣＤ等のディスプレイであり、ＤＢ制御部２０の制御のもとで表示画面の表示を行う。入力部２３は、例えばキーボード、マウス等の入力インターフェースであり、ＤＢ２の操作者の操作入力を受け付ける。通信部２４は、ＤＢ制御部２０の制御のもと、出品票作成システム１００の通信ネットワークＮを介して出品票作成端末１と通信を行う。
【００３３】
図６は、ＤＢ２の記憶部２１に記憶された型式情報ＤＢの一例を示す図である。図６の型式情報ＤＢ６１には、車両の型式の情報に対応して排気量、車名、ドア数（形状）、駆動方式、グレード、燃料、年式、ハンドルの情報などの型式情報が含まれる。
【００３４】
図７は、ＤＢ２の記憶部２１に記憶された色情報ＤＢの一例を示す図である。図７（１）は、外装色情報ＤＢの一例を示す図である。図７（２）は、内装色情報ＤＢの一例を示す図である。外装色情報ＤＢには、外装色の情報に対応して外装色の色名の情報が含まれる。内装色情報ＤＢには、内装色の情報に対応して、内装色の色名の情報が含まれる。
【００３５】
出品票サーバ３のハードウェア構成は、図５のＤＢ２の構成とほぼ同様であるため説明を省略する。なお、出品票サーバ３の記憶部は、出品票作成端末１から送信された出品票データを格納する出品票データベースを有する。
【００３６】
図８は、出品票作成端末１およびＤＢ２の機能構成の一例を示す図である。機能ブロックとしての端末制御部１０は、識別情報取得部４１、型格情報抽出部４２、車両情報取得部４３、出品票データ作成部４４、車両情報受付部４５、および表示制御部４６を有する。端末制御部１０は、図７に示していない機能構成を備えていてもよい。
【００３７】
ＤＢ２の記憶部２１には、車両情報ＤＢ６０が記憶されている。車両情報ＤＢ６０には、型式情報ＤＢ６１（図６参照）、および色情報ＤＢ６２が記憶されている。色情報ＤＢ６２には、図７（１）に示した外装色情報ＤＢ６２ａ、および図７（２）に示した内装色情報ＤＢ６２ｂが記憶されている。ＤＢ２の記憶部２１には、図８に示していないその他の情報を記憶していてもよい。
【００３８】
識別情報取得部４１は、会員カード４（図１参照）から出品者を一意に識別する出品者識別情報を取得する。具体的には、識別情報取得部４１は、カード読取部１４を介して会員カード４のＩＣチップの読み取りを行い、ＩＣチップ内に格納されている出品者識別情報（図２参照）を取得する。
【００３９】
型格情報抽出部４２は、出品車両に取り付けられた型格情報記載板に記載された型格情報記載事項を撮像した型格情報記載画像５から、型格情報を抽出する。型格情報記載画像５は、撮像部１５が撮像した画像である。型格情報には、図４に示すように、車両製造会社名５１、型式５２、車体番号５３、エンジン形式５４、車色５５の情報などが含まれる。型格情報記載画像５から型格情報を抽出する方法については、公知のＯＣＲ（Optical Character Recognition）などの技術を採用することができるため説明を省略する。なお、型格情報抽出部４２が型格情報の抽出を行う型格情報記載画像５は、カメラなどの他の装置からメモリカードなどの搬送可能な記憶媒体を介して入手した画像であってもよい。この場合、カメラなどの他の装置から入手された型格情報抽出部４２は、予め記憶部１１に記憶されている。そして、型格情報抽出部４２は、記憶部１１に記憶された型格情報記載画像５から出品者の出品車両の型格情報を抽出する。
【００４０】
車両情報取得部４３は、型格情報抽出部４２が抽出した型格情報に対応する車両情報を、通信部１６を介して、ＤＢ２の記憶部２１に記憶されている車両情報ＤＢ６０から取得する。具体的には、車両情報取得部４３は、型格情報に含まれる情報のうち型式５２の情報に対応する型式の情報を、ＤＢ２の記憶部２１に記憶されている図６の型式情報ＤＢ６１から取得する。
【００４１】
例えば、型格情報抽出部４２が抽出した型格情報に含まれる型式５２の情報が「AAA-AAAA1」、外装色の情報（外装色番号５５ａ）が「AA1」、内装色の情報（内装色番号５５ｂ）が「BB1」である場合について説明する。この場合、車両情報取得部４３は、型式５２の情報「AAA-AAAA1」、外装色の情報「AA1」、内装色の情報「BB1」を含む型格情報をＤＢ２へ送信する。
【００４２】
ＤＢ２のＤＢ制御部２０は、車両情報ＤＢ６０を参照して、出品票作成端末１から送信された型格情報に対応する車両情報を抽出する。具体的には、ＤＢ制御部２０は、型式情報ＤＢ６１を参照して、出品票作成端末１から送信された型格情報に含まれる型式５２の情報「AAA-AAAA1」に対応する型式情報を抽出する。ＤＢ制御部２０は、図６の型式情報ＤＢ６１を参照して、型式５２の情報「AAA-AAAA1」に対応する型式情報として排気量「2000」、車名「AAAA1」、ドア数（形状）「2」、駆動方式「2WD」、グレード「VL」、燃料「ガソリン」、年式「30年4月」、ハンドル「右」の情報を抽出する。
【００４３】
また、ＤＢ制御部２０は、外装色情報ＤＢ６２ａを参照して、出品票作成端末１から送信された型格情報に含まれる外装色の情報「AA1」に対応する外装色の色名の情報を抽出する。ＤＢ制御部２０は、図７（１）の外装色情報ＤＢ６２ａを参照して、外装色の情報「AA1」に対応する外装色の色名の情報として「黒」の情報を抽出する。
【００４４】
さらに、ＤＢ制御部２０は、内装色情報ＤＢ６２ｂを参照して、出品票作成端末１から送信された型格情報に含まれる内装色の情報「BB1」に対応する内装色の色名の情報を抽出する。ＤＢ制御部２０は、図７（２）の内装色情報ＤＢ６２ｂを参照して、内装色の情報「BB1」に対応する内装色の色名の情報として「茶」の情報を抽出する。
【００４５】
ＤＢ制御部２０は、抽出した型式情報、外装色の色名の情報、内装色の色名の情報を含む車両情報を出品票作成端末１へ送信する。これにより出品票作成端末１の車両情報取得部４３は、型格情報抽出部４２が抽出した型格情報に対応する車両情報を取得することができる。
【００４６】
出品票データ作成部４４は、識別情報取得部４１が取得した出品者識別情報と、車両情報取得部４３が取得した車両情報と、に基づいて出品車両の出品票データを作成する。
【００４７】
具体的には、出品票データ作成部４４は、識別情報取得部４１が取得した出品者識別情報（図２参照）に含まれる情報のうち、会員番号、出品者氏名、会員名（会社名）、会員電話番号を含む情報と、車両情報取得部４３が取得した車両情報に含まれる排気量、車名、ドア数（形状）、駆動方式、グレード、燃料、年式、ハンドルの情報などの型式情報、外装色の色名の情報、内装色の色名の情報と、に基づいて出品票データを作成する。出品票データとは、出品車両をオークションに出品する際に送信するオークション出品票を作成するための情報である。
【００４８】
図９〜図１１を参照して、実施形態の出品票作成端末１におけるオークション出品票の作成方法の一例を説明する。図９〜図１１は、オークション出品票画面７０の一例を示す図である。図９は情報入力前のオークション出品票画面７０の一例であり、図１０は、型式情報および色情報が入力された後のオークション出品票画面７０の一例であり、図１１は、その他の車両情報が入力された後のオークション出品票画面７０の一例である。オークション出品票画面７０は、型式情報入力欄７１〜８０、色情報入力欄８１〜８３、出品者情報入力欄９１〜９４、その他車両情報入力欄１０１〜１０４、車両状態入力欄１１０を有する。
【００４９】
型式情報入力欄７１〜８０は、型式情報に含まれる各種の情報の入力を受け付け、入力された情報を表示する欄（領域）である。色情報入力欄８１〜８３は、色情報に含まれる各種色の情報の入力を受け付け、入力された情報を表示する欄（領域）である。出品者情報入力欄９１〜９４は、出品者識別情報に含まれる各種の情報の入力を受け付け、入力された情報を表示する欄（領域）である。その他車両情報入力欄１０１〜１０４は、その他の車両情報に含まれる各種の情報の入力を受け付け、入力された情報を表示する欄（領域）である。車両状態入力欄１１０は、車両を上方から見た展開図が表示され、出品車両の状態（例えば傷の種類や位置等）の入力を受け付ける。オークション出品票の作成を開始する際には、オークション出品票画面７０における上記の各入力欄は、図９に示したように、全て空欄となっている。
【００５０】
出品票データ作成部４４は、識別情報取得部４１が取得した出品者識別情報に含まれる情報のうち、会員番号「A-00001」の情報を出品者情報入力欄９１に、出品者氏名「aaaa」の情報を出品者情報入力欄９２に、会員名（会社名）「AAAA」の情報を出品者情報入力欄９３に、会員電話番号「XXX-XXXX」の情報を出品者情報入力欄９４にそれぞれ入力する。
【００５１】
また、出品票データ作成部４４は、車両情報取得部４３が取得した型式情報に含まれる排気量「2000」の情報を型式情報入力欄７２に、車名「AAAA1」の情報を型式情報入力欄７３に、ドア数（形状）「2」の情報を型式情報入力欄７４に、駆動方式「2WD」の情報を型式情報入力欄７５に、グレード「VL」の情報を型式情報入力欄７６に、燃料「ガソリン」の情報を型式情報入力欄７７に、年式「30年4月」の情報を型式情報入力欄７８に、ハンドル「右」の情報を型式情報入力欄７９にそれぞれ入力する。出品票データ作成部４４は、型格情報抽出部４２が抽出した型格情報に含まれる型式の情報「AAA-AAAA1」を型式情報入力欄７１に入力する。出品票データ作成部４４は、型格情報抽出部４２が抽出した型格情報に含まれる車体番号の情報「BBBBB-0000001」を型式情報入力欄８０に入力する。
【００５２】
また、出品票データ作成部４４は、車両情報取得部４３が取得した外装色の色名の情報「黒」を色情報入力欄８１に、内装色の色名の情報「茶」を色情報入力欄８２にそれぞれ入力する。型格情報抽出部４２が抽出した型格情報に含まれる外装色の情報「AA1」を色情報入力欄８３に入力する。
【００５３】
各型式情報入力欄７１〜８０、色情報入力欄８１〜８３、出品者情報入力欄９１〜９４に情報を入力することにより、図１０に示すようなオークション出品票画面７０が作成される。表示制御部４６は、作成されたオークション出品票画面７０を表示部１２に表示する。そして、車両情報受付部４５は、作成されたオークション出品票画面７０を確認した操作者（出品者）の操作に基づき、出品車両のその他の車両情報の入力を受け付ける。その他の車両情報とは、型式情報、色情報以外の情報である。例えば、その他の情報とは、初度登録年月の情報、車歴の情報、走行距離の情報、乗車定員の情報などである。
【００５４】
出品票データ作成部４４は、車両情報受付部４５が入力を受け付けたその他の車両情報を、車両情報取得部４３が取得した車両情報に含めて、出品車両の出品票データを作成する。例えば、出品票データ作成部４４は、車両情報受付部４５が入力を受け付けた初度登録年月の情報「28年4月」をその他車両情報入力欄１０１に、車歴の情報「自家用」をその他車両情報入力欄１０２に、走行距離「38,000」の情報をその他車両情報入力欄１０３に、乗車定員の情報「2」をその他車両情報入力欄１０４にそれぞれ入力する。
【００５５】
その他車両情報入力欄１０１〜１０４に情報を入力することにより、図１１に示すようなオークション出品票画面７０が作成される。表示制御部４６は、作成されたオークション出品票画面７０を表示部１２に表示する。
【００５６】
端末制御部１０は、図１１に示したような出品車両を出品するに当たり最低限必要な情報が入力されたオークション出品票画面７０を表示部１２に表示後、操作者（出品者）の操作に基づき作成された出品票データを、通信部１６を介して出品票サーバ３へ送信する。
なお、車両情報受付部４５は、図１１の画面を表示した後、操作者（出品者）の操作に基づき、出品車両のその他の車両情報の入力を再度受け付けてもよい。
【００５７】
次に、出品票作成システム１００を構成する出品票作成端末１とＤＢ２とが実行する出品票作成処理の流れを、図１２を用いて説明する。図１２は、出品票作成システム１００が実行する出品票作成処理の一例を示すシーケンスチャートである。
【００５８】
はじめに、出品票作成端末１の端末制御部１０は、会員カード４に格納されている暗証番号に基づき、本人認証処理を行う。本人認証が成功したら、識別情報取得部４１は、会員カード４から出品者識別情報を取得する（ステップＳ１１）。ステップＳ１１の処理では、識別情報取得部４１は、会員カード４のＩＣチップに記憶されている会員番号、出品者氏名、会員名（会社名）、会員電話番号を含む情報を取得する。
【００５９】
ステップＳ１１の後、操作者（出品者）の操作に基づき、撮像部１５は、出品車両に取り付けられたコーションプレートに記載された型格情報記載事項を撮像して型格情報記載画像を取得する（ステップＳ１２）。型格情報抽出部４２は、ステップＳ１２で取得した型格情報記載画像から出品者の出品車両の型格情報を抽出する（ステップＳ１３）。
【００６０】
車両情報取得部４３は、ステップＳ１２で抽出した出品車両の型格情報をＤＢ２へ送信する（ステップＳ１４）。ステップＳ１４の処理では、車両情報取得部４３は、型格情報に含まれる型式の情報、外装色の情報、内装色の情報をＤＢ２へ送信する。
【００６１】
ＤＢ２のＤＢ制御部２０は、出品票作成端末１から送信された型格情報に基づいて車両情報を抽出する（ステップＳ１５）。ステップＳ１５の処理では、ＤＢ制御部２０は、型式情報ＤＢ６１を参照して、出品票作成端末１から送信された型格情報に含まれる型式５２の情報に対応する型式情報を抽出する。また、ＤＢ制御部２０は、外装色情報ＤＢ６２ａを参照して、出品票作成端末１から送信された型格情報に含まれる外装色の情報（外装色番号５５ａ）に対応する外装色の色名の情報を抽出する。また、ＤＢ制御部２０は、内装色情報ＤＢ６２ｂを参照して、出品票作成端末１から送信された型格情報に含まれる内装色の情報（内装色番号５５ｂ）に対応する内装色の色名の情報を抽出する。
【００６２】
ＤＢ制御部２０は、抽出した型式情報、外装色の色名の情報、内装色の色名の情報を含む車両情報を出品票作成端末１へ送信する（ステップＳ１６）。ステップＳ１６の処理の後、車両情報取得部４３は、ＤＢ２から送信された車両情報を取得する（ステップＳ１７）。
【００６３】
出品票データ作成部４４は、ステップＳ１１で取得した出品者識別情報と、ステップＳ１７で取得した車両情報と、に基づいて出品車両の出品票データを作成する（ステップＳ１８）。表示制御部４６は、ステップＳ１８で作成されたオークション出品票画面７０（図１０参照）を表示部１２に表示する。
【００６４】
ステップＳ１８の後、車両情報受付部４５は、作成されたオークション出品票画面７０を確認した操作者（出品者）の操作に基づき、出品車両のその他の車両情報の入力を受け付ける（ステップＳ２０）。出品票データ作成部４４は、ステップＳ２０で入力を受け付けたその他の車両情報を、ステップＳ１７で取得した車両情報に含めて、出品車両の出品票データを作成する（ステップＳ２１）。表示制御部４６は、ステップＳ２１で作成されたオークション出品票画面７０（図１１参照）を表示部１２に表示する（ステップＳ２２）。端末制御部１０は、ステップＳ２２で表示部１２に表示されたオークション出品票画面７０を確認した操作者（出品者）の操作に基づき、ステップＳ２１で作成された出品票データを出品票サーバ３へ送信する。この処理が終了すると、出品票作成システム１００が実行する出品票作成処理は終了となる。
【００６５】
このように、実施形態の出品票作成システム１００では、コーションプレートに基づいて撮像された型格情報記載画像から出品車両の型格情報を抽出し、抽出した型格情報に対応する車両情報が取得される。そして、会員カード４から取得した出品者識別情報と、取得した車両情報とに基づいて、図１０に示したオークション出品票画面７０に対応する、出品に当たり最低限必要な情報を含む出品票データが自動的に作成される。これにより、記入ミスや記入漏れといった人為的ミスを防ぐことができる。また、コーションプレートを撮像するだけで出品票データが自動的に作成されるため、容易に出品票を作成することができる。
【００６６】
＜別実施形態＞
上述の実施形態においては、車両状態入力欄１１０には、車両を上方から見た展開図が型格情報の種別にかかわらず、同じ展開図が表示されているがこの限りではない。例えば別実施形態においては、図６の型式情報ＤＢに、車両の型式の情報に対応して、車両状態入力欄１１０に表示する車両を上方から見た展開図（以下、「展開図」と呼ぶ）の画像を記憶する。この場合、ＤＢ２のＤＢ制御部２０は、出品票作成端末１から送信された型格情報に基づいて抽出する車両情報に展開図の画像を含めて抽出して出品票作成端末１へ送信する。展開図の画像を含む車両情報を取得した出品票データ作成部４４は、車両情報に含まれる展開図の画像を車両状態入力欄１１０に入力して、出品票データを作成する。
【００６７】
図１２は、別実施形態のオークション出品票画面の一例を示す図である。図１２のオークション出品票画面７０”では、図９のオークション出品票画面７０において入力された型式の情報「AAA-AAAA1」とは異なる形式の情報「AAA-BAAA2」に基づいて、出品票データ作成部４４は、車両状態入力欄１１０’を作成している。これにより、操作者（出品者）は、乗用車とトラックなど、出品車両の形状により異なる情報を車両状態入力欄１１０に入力しやすくなる。
【００６８】
なお、本発明は上述した実施形態そのままに限定されるものではなく、実施段階でのその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素を適宜組み合わせても良い。さらに、異なる実施形態にわたる構成要素を適宜組み合わせてもよい。このような、発明の趣旨を逸脱しない範囲内において種々の変形や応用が可能である。
【００６９】
上述の実施形態では、車両情報ＤＢ６０は、ＤＢ２に記憶されているがこの限りではなく、出品票作成端末１が記憶していてもよい。これにより、ＤＢ２との間の通信処理を省略し処理速度の向上を図ることができる。また、車両情報ＤＢ６０は、出品票サーバ３に記憶させてもよい。すなわち出品票サーバ３がＤＢ２を兼ねていてもよい。これにより、システム構成を簡略化することができる。
【符号の説明】
【００７０】
１    ：出品票作成端末
２    ：車両情報データベース（ＤＢ）
３    ：出品票サーバ
４    ：会員カード
５    ：型格情報記載画像
１０  ：端末制御部
１１  ：記憶部
１２  ：表示部
１３  ：入力部
１４  ：カード読取部
１５  ：撮像部
１６  ：通信部
２０  ：ＤＢ制御部
２１  ：記憶部
２２  ：表示部
２３  ：入力部
２４  ：通信部
４１  ：識別情報取得部
４２  ：型格情報抽出部
４３  ：車両情報取得部
４４  ：出品票データ作成部
４５  ：車両情報受付部
４６  ：表示制御部
５１  ：車両製造会社名
５２  ：型式
５３  ：車体番号
５４  ：エンジン形式
５５  ：車色
５５ａ：外装色番号
５５ｂ：内装色番号
６０  ：車両情報ＤＢ
６１  ：型式情報ＤＢ
６２  ：色情報ＤＢ
６２ａ：外装色情報ＤＢ
６２ｂ：内装色情報ＤＢ
７０、７０”：オークション出品票画面
７１〜８０：型式情報入力欄
８１〜８３：色情報入力欄
９１〜９４：出品者情報入力欄
１００：出品票作成システム
１０１〜１０４：その他車両情報入力欄
１１０、１１０’：車両状態入力欄
Ｎ    ：通信ネットワーク
【図１】
2020086686.tif 000003
【図２】
2020086686.tif 000004
【図３】
2020086686.tif 000005
【図４】
2020086686.tif 000006
【図５】
2020086686.tif 000007
【図６】
2020086686.tif 000008
【図７】
2020086686.tif 000009
【図８】
2020086686.tif 000010
【図９】
2020086686.tif 000011
【図１０】
2020086686.tif 000012
【図１１】
2020086686.tif 000013
【図１２】
2020086686.tif 000014
【図１３】
2020086686.tif 000015